(57)【要約】  【課題】庫内の除湿効果を飛躍的に向上させて、より低湿度を実現可能な保管庫を提供する。  【解決手段】保管庫１は、庫内２０Ａを除湿する第一除湿ユニット２３Ａおよび庫内２０Ａにアクセスするための第一扉２２Ａを有する第一調湿庫２Ａと、第一調湿庫２Ａの庫内２０Ａに配置され、庫内２０Ｂを除湿する第二除湿ユニット２３Ｂおよび庫内２０Ｂにアクセスするための第二扉２２Ｂを有する第二の調湿庫２Ｂと、を備えている。ここで、第一除湿ユニット２３Ａの第一加熱再生処理および第二除湿ユニット２３Ｂの第二加熱再生処理は、互いに同時に実施されないように、制御盤２４によって実施タイミングが調整されている。【選択図】図３
2018105609.tif 000002
【特許請求の範囲】
【請求項１】
庫内を除湿する保管庫であって、
庫内を除湿する第一の除湿ユニットおよび庫内にアクセスするための第一の扉を有する第一の調湿庫と、
前記第一の調湿庫内に配置され、庫内を除湿する第二の除湿ユニットおよび庫内にアクセスするための第二の扉を有する第二の調湿庫と、を備える
ことを特徴する保管庫。
【請求項２】
請求項１に記載の保管庫であって、
前記第一の除湿ユニットおよび前記第二の除湿ユニットを制御する制御手段をさらに備え、
前記第一の除湿ユニットは、
加熱再生可能な乾燥剤が充填された第一の乾燥装置と、前記第一の乾燥装置と前記第一の調湿庫の庫内との空気循環、および前記第一の乾燥装置と前記第一の調湿庫の庫外の空気循環を択一的に行わせるための第一のシャッタと、前記第一の乾燥装置に充填された乾燥剤を加熱する第一のヒータと、を有し、
前記制御手段の制御により、前記第一のシャッタにより前記第一の乾燥装置内と前記第一の調湿庫の庫内との間を空気循環させて、前記第一の乾燥装置内に充填された乾燥剤により前記第一の調湿庫の庫内を除湿する第一の除湿処理、および、前記第一のシャッタにより前記第一の乾燥装置内と前記第一の調湿庫の庫外との間を空気循環させるとともに、前記第一のヒータを動作させて前記第一の乾燥装置内に充填された乾燥剤を加熱することにより、当該乾燥剤を脱湿する第一の加熱再生処理を、択一的に実施し、
前記第二の除湿ユニットは、
加熱再生可能な乾燥剤が充填された第二の乾燥装置と、前記第二の乾燥装置と前記第二の調湿庫の庫内との空気循環、および前記第二の乾燥装置と前記第二の調湿庫の庫外の空気循環を択一的に行わせるための第二のシャッタと、前記第二の乾燥装置に充填された乾燥剤を加熱する第二のヒータと、を有し、
前記制御手段の制御により、前記第二のシャッタにより前記第二の乾燥装置内と前記第二の調湿庫の庫内との間を空気循環させて、前記第二の乾燥装置内に充填された乾燥剤により前記第二の調湿庫の庫内を除湿する第二の除湿処理、および、前記第二のシャッタにより前記第二の乾燥装置内と前記第二の調湿庫の庫外との間を空気循環させるとともに、前記第二のヒータを動作させて前記第二の乾燥装置内に充填された乾燥剤を加熱することにより、当該乾燥剤を脱湿する第二の加熱再生処理を、択一的に実施し、
前記制御手段は、
前記第一の加熱再生処理および前記第二の加熱再生処理の実施タイミングが重複しないように前記第一の除湿ユニットおよび前記第二の除湿ユニットを制御する
ことを特徴とする保管庫。
【請求項３】
請求項２に記載の保管庫であって、
前記制御手段は、
所定時間毎に前記第一加熱再生処理および前記第二加熱再生処理を交互に実施する
ことを特徴とする保管庫。
【請求項４】
請求項２に記載の保管庫であって、
前記制御手段は、
前記第一加熱再生処理および前記第二加熱再生処理のいずれか一方の実施タイミングが到来したときに、他方を実施中あるいは他方の実施終了から所定時間経過前ならば、当該他方の実施終了から所定時間を経過するのを待って、当該一方を実施する
ことを特徴とする保管庫。
【請求項５】
請求項１ないし４のいずれか一項に記載の保管庫であって、
前記第一の調湿庫内に配置された前記第二の調湿庫と前記第一の調湿庫の庫内の壁面との隙間を塞ぐように配置され、通気口あるいは通湿性を有する侵入防止柵をさらに備えている
ことを特徴とする保管庫。
【請求項６】
請求項１ないし４のいずれか一項に記載の保管庫であって、
前記第一の調湿庫内に配置された前記第二の調湿庫と前記第一の調湿庫の庫内の壁面との隙間を塞ぐように配置された侵入防止柵をさらに備え、
前記侵入防止柵の少なくとも一部は、
前記第一の扉の開閉に連動し、前記第一の扉が開いている場合に前記隙間を塞ぎ、前記第一の扉が閉じている場合に前記隙間を開く
ことを特徴とする保管庫。
【発明の詳細な説明】
【技術分野】
【０００１】
本発明は、庫内を除湿する保管庫に関する。
【背景技術】
【０００２】
従来、精密機器、食品、化学薬品等の保管品を保管する庫内を除湿する除湿ユニットを備えた保管庫が知られている（例えば特許文献１）。この種の保管庫に用いられる除湿ユニットは、乾燥装置と、乾燥装置と庫内との空気循環、および乾燥装置と庫外の空気循環を択一的に行わせるためのシャッタと、を有する。乾燥装置は、乾燥装置内に充填された球状、ペレット状等の加熱再生可能な乾燥剤と、乾燥剤を加熱再生するための乾燥剤用ヒータと、を有する。そして、除湿ユニットは、シャッタにより乾燥装置内と庫内との間を空気循環させて、乾燥装置内に充填された乾燥剤が空気中の水分を吸着することにより庫内の空気を除湿する（除湿処理）。また、シャッタにより乾燥装置内と庫外との間を空気循環させるとともに、乾燥剤用ヒータを動作させて吸湿した乾燥剤を加熱することにより、定期的に乾燥剤に溜まった水分を庫外に放出し乾燥剤の乾燥能力を再生させる（加熱再生処理）。これらの処理を繰り返し行うことにより庫内を低湿度化する。
【先行技術文献】
【特許文献】
【０００３】
【特許文献１】特開２０１３−１３４０３４号公報
【発明の概要】
【発明が解決しようとする課題】
【０００４】
ところで、特許文献１に記載の保管庫において、庫内の除湿効果を向上させるためには、乾燥装置内の乾燥剤の充填量を増やす、除湿ユニットを追加するなどの対策が考えられる。しかしながら、庫内にアクセスするための扉のパッキン部分、除湿ユニットの取付け部分等から外気が侵入するなどして、いずれの対策も除湿効果の飛躍的な向上を実現することは困難である。
【０００５】
本発明は、上記事情に鑑みてなされたものであり、その目的は、庫内の除湿効果を飛躍的に向上させて、より低湿度を実現可能な保管庫を提供することにある。
【課題を解決するための手段】
【０００６】
上記課題を解決するために本発明の保管庫は、除湿ユニットを搭載した第一の調湿庫の庫内に、除湿ユニットを搭載した第二の調湿庫を設置した二重構造方式とするとともに、第一および第二の調湿庫それぞれに、庫内にアクセスするための扉を別途設けた。ここで、第一の調湿庫および第二の調湿庫にそれぞれ搭載された除湿ユニットの加熱再生処理が同時に実施されないようするために、これらの除湿ユニットの加熱再生処理の実施タイミングを制御することが好ましい。
【０００７】
例えば、本発明は、
庫内を除湿する保管庫であって、
庫内を除湿する第一の除湿ユニットおよび庫内にアクセスするための第一の扉を有する第一の調湿庫と、
前記第一の調湿庫内に配置され、庫内を除湿する第二の除湿ユニットおよび庫内にアクセスするための第二の扉を有する第二の調湿庫と、を備える。
【発明の効果】
【０００８】
本発明によれば、第一の調湿庫の庫内に、除湿ユニットを搭載した第二の調湿庫を設置した二重構造方式としているので、第二の調湿庫の第二の扉のパッキン部分、除湿ユニットの取付け部分等から第二の調湿庫の庫内に侵入する外気が第一の調湿庫の庫内で除湿された外気となり、第二の調湿庫の庫内への影響を小さくすることができる。このため、庫内の除湿効果を飛躍的に向上させて、より低湿度を実現可能な保管庫を提供できる。
【図面の簡単な説明】
【０００９】
【図１】図１は、本発明の一実施の形態に係る保管庫１の原理を説明するための図である。
【図２】図２（Ａ）および図２（Ｂ）は、本実施の形態に係る保管庫１の概略正面図である。
【図３】図３は、図２（Ａ）に示す保管庫１のＡ−Ａ概略断面図である。
【図４】図４は、除湿ユニット２３の概略断面図である。
【図５】図５は、保管庫１およびその比較例Ａ、Ｂを長時間動作させたときの露点温度の測定結果を示す図である。
【図６】図６（Ａ）および図６（Ｂ）は、保管庫１の変形例１Ａを説明するための図である。
【発明を実施するための形態】
【００１０】
以下に、本発明の実施の形態について、図面を参照して説明する。
【００１１】
まず、本実施の形態の原理を説明する。
【００１２】
本実施の形態に係る保管庫１は、図１に示すように、庫内２０Ａを除湿可能な第一調湿庫２Ａの庫内２０Ａに、庫内２０Ｂを除湿可能な第二調湿庫２０Ｂを設置した二重構造方式の保管庫である。第二調湿庫２Ｂの庫内２０Ｂにアクセスするための扉２２Ｂ（図２等参照）、第二調湿庫２０Ｂの庫内２０Ｂを除湿する第二除湿ユニット２３Ｂ（図３等参照）等から第二調湿庫２Ｂの庫内２０Ｂに侵入する外気が第一調湿庫２Ａの庫内２０Ａで除湿された外気となるため、外気による第二調湿庫２Ｂの庫内２０Ｂへの影響を小さくすることができる。これにより、庫内２０Ｂの除湿効果を飛躍的に向上させている。
【００１３】
つぎに、本実施の形態に係る保管庫１の詳細を説明する。
【００１４】
図２（Ａ）および図２（Ｂ）は、本実施の形態に係る保管庫１の概略正面図であり、図２（Ａ）は、第一調湿庫２Ａの扉２２Ａを閉じた状態を示す図、そして、図２（Ｂ）は、第一調湿庫２Ａの扉２２Ａを開いた状態を示す図である。また、図３は、図２（Ａ）に示す保管庫１のＡ−Ａ概略断面図である。
【００１５】
本実施の形態に係る保管庫１は、例えば露点温度−５０℃以下の超低湿度環境が要求される二次電池材料、有機ＥＬ封止装置等の保管品を保管する。図３に示すように、保管庫１は、第一調温庫２Ａと、第一調温庫２Ａの庫内２０Ａに配置された第二調湿庫２Ｂと、第二調湿庫２Ｂと第一調湿庫２Ａの庫内２０Ａの壁面との隙間を塞ぐように配置された侵入防止柵３と、を備えている。
【００１６】
第一調湿庫２Ａは、庫内２０Ａに第二調湿庫２Ｂを配置するために前面２１１Ａが開口した筐体２１Ａと、筺体２１Ａの前面２１１Ａに設けられ、庫内２０Ａにアクセスするための扉２２Ａと、庫内２０Ａを除湿する第一除湿ユニット２３Ａと、第一除湿ユニット２３Ａおよび後述の第二除湿ユニット２３Ｂを制御する制御盤２４と、筺体２１Ａの前面２１１Ａ等に配置された操作パネル２５と、を備えている。
【００１７】
第二調湿庫２Ｂは、庫内２０Ｂに保管品を保管するために前面２１１Ｂが開口した筐体２１Ｂと、筺体２１Ｂの前面２１１Ｂに設けられ、庫内２０Ｂにアクセスするための扉２２Ｂと、庫内２０Ｂを除湿する第二除湿ユニット２３Ｂと、第二調湿庫２Ｂの庫内２０Ｂの温度および露点温度を測定するセンサ２６と、を備えている。
【００１８】
操作パネル２５は、各種指示、設定情報等をユーザから受け付けるためのボタン、キー等の入力装置と、各種設定情報、動作状態、環境情報等をユーザに知らせるための液晶パネル、ＬＥＤ等の表示装置と、を備えている。
【００１９】
第一除湿ユニット２３Ａおよび第二除湿ユニット２３Ｂ（以下、単に除湿ユニット２３とも呼ぶ）は、ゼオライト、シリカゲル等の加熱再生可能な乾燥剤を用いて、第一調湿庫２Ａおよび第二調湿庫２Ｂの庫内２０Ａ、２０Ｂ（以下、単に庫内２０とも呼ぶ）をそれぞれ除湿する。
【００２０】
図４は、除湿ユニット２３の概略断面図である。
【００２１】
図示するように、除湿ユニット２３は、例えば筺体２１Ａ、２１Ｂの背面板２１２Ａ、２１２Ｂに形成された開口部２１３Ａ、２１３Ｂを塞ぐように配置される。ここでは、除湿ユニット２３を、庫内２０側から開口部２１３Ａ、２１３Ｂを塞ぐように庫内２０に配置しているが、庫外２７側から開口部２１３Ａ、２１３Ｂを塞ぐように庫外２７に配置してもよい。除湿ユニット２３は、少なくとも１台の乾燥装置２３０と、ファン２３１と、乾燥装置２３０およびファン２３１を収容するハウジング２３２と、を備えている。
【００２２】
ハウジング２３２には、ハウジング２３２の内部と庫内２０とをつなぐ庫内側通気口として、庫内２０の空気Ｂ１をハウジング２３２内に取り込むための庫内吸気口２３３ａ、２３３ｂと、ハウジング２３２内の空気Ｂ２を庫内２０へ排出する庫内排気口２３４ａ、２３４ｂと、が形成されている。また、ハウジング２３２の内部と庫外２７とをつなぐ庫外側通気口として、庫外２７の空気Ａ１をハウジング２３２内に取り込むための庫外吸気口２３５ａ、２３５ｂと、ハウジング２３２内の空気Ａ２を庫外２７へ排出するための庫外排気口２３６ａ、２３６ｂと、が形成されている。ファン２３１は、これらの通気口２３３ａ、２３３ｂ〜２３６ａ、２３６ｂを介して、空気を、ハウジング２３２の内部と庫内２０または庫外２７との間で強制的に循環させるために駆動される。
【００２３】
乾燥装置２３０は、乾燥装置２３０内に充填された球状、ペレット状等の乾燥剤２３７と、乾燥装置２３０内に乾燥剤２３７とともに収容された乾燥剤用ヒータ２３８と、を備えている。乾燥装置２３０は、乾燥剤２３７で吸湿することにより、庫内２０からハウジング２３２内に取り込まれた空気を除湿する。また、乾燥剤用ヒータ２３８により乾燥剤２３７を加熱することにより、乾燥剤２３７が吸湿した水分をハウジング２３２内から庫外２７へ排出する。
【００２４】
乾燥剤２３７は、ゼオライト、シリカゲル等の加熱再生可能な乾燥剤であり、庫内２０の空気を十分に除湿できるように庫内２０のスペースに応じて定められた量の乾燥剤２３７が乾燥装置２３０に充填されている。図示していないが、乾燥装置２３０には、乾燥剤２３７の粒径より狭い幅のスリットが複数形成されている。乾燥剤２３７は、このスリットを介してハウジング２３２内を除湿したり、水分を排出したりする。
【００２５】
乾燥剤用ヒータ２３８は、制御盤２４の制御により乾燥装置２３０内に充填された乾燥剤２３７を加熱して乾燥剤２３７に溜まった水分を排出し、乾燥能力を再生する。
【００２６】
また、除湿ユニット２３は、庫内吸気口２３３ａおよび庫外吸気口２３５ａを互いに排他的に開閉するシャッタ２３９ａと、庫内排気口２３４ａおよび庫外排気口２３６ａを互いに排他的に開閉するシャッタ２３９ｂと、をさらに備えている。
【００２７】
図３に戻って説明を続ける。制御盤２４は、センサＩＦ部２４０と、操作パネルＩＦ部２４１と、第一除湿ユニットＩＦ部２４２と、第二除湿ユニットＩＦ部２４３と、主制御部２４４と、を備えている。
【００２８】
センサＩＦ部２４０は、主制御部２４４をセンサ２６に接続するためのインターフェースである。操作パネルＩＦ部２４１は、主制御部２４４を操作パネル２５に接続するためのインターフェースである。そして、第一除湿ユニットＩＦ部２４２および第二除湿ユニットＩＦ部２４３は、主制御部２４４を第一除湿ユニット２３Ａおよび第二除湿ユニット２３Ｂにそれぞれ接続するためのインターフェースである。
【００２９】
主制御部２４４は、センサＩＦ部２４０を介してセンサ２６により第二調湿庫２Ｂの庫内２０Ｂの温度、露点温度、湿度等の情報を受信する。そして、操作パネルＩＦ部２４１を介して操作パネル２５に、センサ２６より受信した第二調湿庫２Ｂの庫内２０Ｂの温度、露点温度、湿度等の情報を表示する。また、主制御部２４４は、操作パネルＩＦ部２４１を介して操作パネル２５よりユーザの指示を受信する。そして、操作パネル２５より受信したユーザの指示に従い、第一除湿ユニットＩＦ部２４２および第二除湿ユニットＩＦ部２４３を介して第一除湿ユニット２３Ａおよび第二除湿ユニット２３Ｂを制御し、第一調湿庫２Ａの庫内２０Ａおよび第二調湿庫２Ｂの庫内２０Ｂを除湿する。
【００３０】
主制御部２４４は、具体的には第一除湿ユニット２３Ａをつぎのように制御する。ハウジング２３２の内部を庫内２０Ａにのみ開放した状態（庫内吸気口２３３ａ：開、庫外吸気口２３５ａ：閉、庫内排気口２３４ａ：開、庫外排気口２３６ａ：閉）で、必要に応じてファン２３１を回転させる第一除湿処理、および、ハウジング２３２の内部を一定時間（例えば１時間）庫外２７にのみ開放した状態（庫内吸気口２３３ａ：閉、庫外吸気口２３５ａ：開、庫内排気口２３４ａ：閉、庫外排気口２３６ａ：開）で、乾燥剤用ヒータ２３８を動作させて乾燥剤２３７を加熱しつつ、必要に応じてファン２３１を回転させる第一加熱再生処理を、択一的に実施する。第一除湿処理により、庫内２０Ａ内の湿った空気Ｂ１が、ハウジング２３２内に取り込まれ、乾燥装置２３０の乾燥剤２３７が吸湿することにより除湿された後、乾いた空気Ｂ２として庫内２０Ａに排出されて、庫内２０Ａが除湿される。また、第一加熱再生処理により、庫外２７の空気Ａ１が、ハウジング２３２内に取り込まれ、乾燥剤用ヒータ２３８により加熱された乾燥剤２３７から溜まった水分が放出された後、湿った空気Ａ２として庫外２７に排出されて、乾燥剤２３７が乾燥する。
【００３１】
また、主制御部２４４は、具体的には第二除湿ユニット２３Ｂをつぎのように制御する。ハウジング２３２の内部を庫内２０Ｂにのみ開放した状態（庫内吸気口２３３ａ：開、庫外吸気口２３５ａ：閉、庫内排気口２３４ａ：開、庫外排気口２３６ａ：閉）で、必要に応じてファン２３１を回転させる第二除湿処理、および、ハウジング２３２の内部を一定時間（例えば１時間）庫外２７（第一調湿庫２Ａの庫内２０Ａ）にのみ開放した状態（庫内吸気口２３３ａ：閉、庫外吸気口２３５ａ：開、庫内排気口２３４ａ：閉、庫外排気口２３６ａ：開）で、乾燥剤用ヒータ２３８を動作させて乾燥剤２３７を加熱しつつ、必要に応じてファン２３１を回転させる第二加熱再生処理を、択一的に実施する。第二除湿処理により、庫内２０Ｂ内の湿った空気Ｂ１が、ハウジング２３２内に取り込まれ、乾燥装置２３０の乾燥剤２３７が吸湿することにより除湿された後、乾いた空気Ｂ２として庫内２０Ｂに排出されて、庫内２０Ｂが除湿される。また、第二加熱再生処理により、庫外２７（第一調湿庫２Ａの庫内２０Ａ）の空気Ａ１が、ハウジング２３２内に取り込まれ、乾燥剤用ヒータ２３８により加熱された乾燥剤２３７から溜まった水分が放出された後、湿った空気Ａ２として庫外２７（第一調湿庫２Ａの庫内２０Ａ）に排出されて、乾燥剤２３７が乾燥する。
【００３２】
ここで、主制御部２４４は、第一加熱再生処理および第二加熱再生処理の実施タイミングが重ならないように調整している。例えば、操作パネル２５を介してユーザから第一加熱再生処理および第二加熱再生処理に共通の加熱再生インターバルが設定されている場合、加熱再生インターバル毎に第一加熱再生処理および第二加熱再生処理を交互に実施する。あるいは、操作パネル２５を介してユーザから第一加熱再生処理および第二加熱再生処理それぞれについて個別に加熱再生インターバルが設定されている場合、第一加熱再生処理および第二加熱再生処理をそれぞれの加熱再生インターバル毎に実施する。そして、第一加熱再生処理および第二加熱再生処理のいずれか一方の実施タイミングが到来したときに、他方を実施中あるいは他方の実施終了から所定時間（例えば１時間）経過前ならば、他方の実施終了から所定時間を経過するのを待って一方を実施する。
【００３３】
侵入防止柵３は、第二調湿庫２Ｂと第一調湿庫２Ａの庫内２０Ａの壁面との隙間を塞いでおり、これにより、ユーザが誤って保管品を第二調湿庫２Ｂと第一調湿庫２Ａの庫内２０Ａの壁面との隙間に配置してしまうのを防止する。なお、第二調湿庫２Ｂの周囲の空気を循環させて、第二調湿庫２Ｂの前方を含めて第一調湿庫Ａの庫内２０Ａを効率よく除湿するため、侵入防止柵３にパンチングメタルを用いて通気性を確保している。
【００３４】
本発明者は、比較対象の保管庫として、保管庫１から第二調湿庫２Ｂを省略した比較例Ａ、および、比較例Ａにおいて、除湿ユニット２３を２つに増やして、除湿ユニット２３の数を保管庫１と同数とした比較例Ｂを用意し、保管庫１および比較例Ａ、Ｂを長時間動作させたときの露点温度を測定した。
【００３５】
図５は、保管庫１およびその比較例Ａ、Ｂを長時間（約５０時間）動作させたときの露点温度の測定結果を示す図である。
【００３６】
ここで、グラフ４０は保管庫１の庫内２０Ｂの露点温度、グラフ４１は比較例Ａの庫内の露点湿度、そして、グラフ４２は比較例Ｂの庫内の露点温度をそれぞれ示している。なお、試験環境は、すべて同条件（周囲温度２５度、周囲湿度３０〜５５％ＲＨ）としている。また、除湿ユニット２３の加熱再生インターバルを６時間とし、保管庫１は第一加熱再生処理（第一調湿庫２Ａの第一除湿ユニット２３Ａの加熱再生処理）および第二加熱再生処理（第二調湿庫２Ｂの第二除湿ユニット２３Ｂの加熱再生処理）を約３時間ずらして交互に実施し、比較例Ｂは２つの除湿ユニット２３それぞれの加熱再生処理を約３時間ずらして交互に実施している。
【００３７】
グラフ４１に示すように、比較例Ａの最低到達露点温度はおよそ−３８．０℃（水蒸気量０．１６５ｇ／ｍ３）であった。グラフ４１では、定期的に露点温度が上昇しているが（符号４１０）、これは６時間毎に実施される加熱再生処理の影響によるものである。また、グラフ４２に示すように、比較例Ｂの最低到達露点温度はおよそ−４０．５℃（水蒸気量０．１２７ｇ／ｍ３）であった。グラフ４２でも、３時間毎に実施される加熱再生処理の影響により、定期的に露点温度が上昇している（符号４２０）。また、グラフ４０に示すように、保管庫１の最低到達露点温度はおよそ−６８℃（水蒸気量０．００４２９ｇ／ｍ３）であった。グラフ４０では、露点温度の大きな上昇（符号４００）と小さな上昇（符号４０１）とを交互に繰り返している。これは３時間毎に交互に実施される第一調湿庫２Ａの第一加熱再生処理（符号４０１）および第二調湿庫２Ｂの第二加熱再生処理（符号４００）の影響によるものである。
【００３８】
図５に示すグラフ４０〜４２から明らかなように、保管庫１および比較例Ｂの除湿ユニット２３の数が同数であるにもかからず、比較例Ｂの比較例Ａに対する露点温度の低下量が−２．５℃（水蒸気量換算でおよそ１００分の７７に減少）であるのに対し、保管庫１の比較例Ａに対する露点温度の低下量は−２８℃（水蒸気量換算でおよそ１００分の２．６に減少）であり、保管庫１は比較例Ｂに比べて除湿効果が飛躍的に向上している。これは、つぎの理由によるものと考えられる。すなわち、比較例Ｂでは、庫内にアクセスするための扉のパッキン部分、除湿ユニット２３の取付部分等を介して湿気を含んだ外気が侵入し、これが庫内２０の湿度に影響するものと考えられる。保管庫１においても、第二調湿庫２Ｂの扉２２Ｂのパッキン部分、除湿ユニット２３Ｂの取付け部分等から第二調湿庫２Ｂの庫内２０Ｂに外気が侵入するが、この外気は第一調湿庫２Ａの庫内２０Ａで除湿されているので、第二調湿庫２Ｂの庫内２Ｂへの影響が小さい。このため、庫内２０Ｂの除湿効果を飛躍的に向上させることができたものと考えられる。
【００３９】
以上、本発明の一実施の形態について説明した。
【００４０】
本実施の形態によれば、第一除湿ユニット２３Ａを搭載した第一調湿庫２Ａの庫内２０Ａに、第二除湿ユニット２３Ｂを搭載した第二調湿庫２Ｂを設置した二重構造方式としているので、第二調湿庫２Ｂの扉２２Ｂのパッキン部分、第二除湿ユニット２３Ｂの取付け部分等から第二調湿庫２Ｂの庫内２０Ｂに侵入する外気が第一調湿庫２Ａの庫内２０Ａで除湿された外気となり、第二調湿庫２Ｂの庫内２０Ｂへの影響を小さくすることができる。このため、庫内２０Ｂの除湿効果を飛躍的に向上させて、例えば露点温度−５０℃以下の超低湿度環境が要求される二次電池材料、有機ＥＬ封止装置等の保管品を保管するのに好適な保管庫１を提供することができる。
【００４１】
また、本実施の形態では、第一調湿庫２Ａの第一加熱再生処理および第二調湿庫２Ｂの第二加熱再生処理の実施タイミングが重ならないように調整している。具体的には、加熱再生インターバル毎に第一加熱再生処理および第二加熱再生処理を交互に実施する。あるいは、第一加熱再生処理および第二加熱再生処理をそれぞれの加熱再生インターバル毎に実施し、第一加熱再生処理および第二加熱再生処理のいずれか一方の実施タイミングが到来したときに、他方を実施中あるいは他方の実施終了から所定時間経過前ならば、他方の実施終了から所定時間を経過するのを待って一方を実施する。このようにすることにより、第一加熱再生処理による露点温度の上昇と第二加熱再生処理による露点温度の上昇とを分散させて、最高到達露点温度の上昇を抑制することができる。
【００４２】
なお、本発明は、上記の実施の形態に限定されるものではなく、その要旨の範囲内で数々の変形が可能である。
【００４３】
例えば、上記の実施の形態では、侵入防止柵３にパンチングメタルを用いているが、本発明はこれに限定されない。侵入防止柵３は、第二調湿庫２Ｂと第一調湿庫２Ａの庫内２０Ａの壁面との隙間を塞ぐことができ、かつ通気口あるいは通湿性を有するものであればよい。例えば、侵入防止柵３にウレタンあるいはスポンジを用いてもよい。この場合、第一調湿庫２Ａの扉２２Ａを開いたときに、それが短時間であれば、湿気を含んだ外気が侵入防止柵３を通過して庫内２０Ａの後方（第二調湿庫２Ｂの後方）に侵入するのを防止することができる一方、第一調湿庫２Ａの扉２２Ａを閉じた状態において、庫内２０Ａの空気が侵入防止柵３を時間をかけて通過し循環することにより、庫内２０Ａの前方（第二調湿庫２Ｂの前方）の空気を除湿することができる。
【００４４】
また、侵入防止柵３に通気口あるいは通湿性を持たせる代わりに、第一調湿庫２Ａの扉２２Ａを開閉に連動して侵入防止柵３の少なくとも一部を開閉するようにしてもよい。
【００４５】
図６（Ａ）および図６（Ｂ）は、保管庫１の変形例１Ａを説明するための図であり、図３のＡ−Ａ概略断面図に相当する図である。ここで、図６（Ａ）は、第一調湿庫２Ａの扉２２Ａが閉じた状態を示しており、図６（Ｂ）は、第一調湿庫２Ａの扉２２Ａが開いた状態を示している。
【００４６】
この変形例１Ａでは、侵入防止柵３を、金属、プラスチック等の板材で構成するとともに、この侵入防止柵３を、第二調湿庫２Ｂの上面と第一調湿庫２Ａの庫内２０Ａの天井との隙間に配置される第一防止柵３０と、第二調湿庫２Ｂの側面および下面と第一調湿庫２Ａの庫内２０Ａの側面および底面との隙間に配置される第二防止柵（不図示）と、に分割している。そして、第二防止柵は、第二調湿庫２Ｂの側面および下面と第一調湿庫２Ａの庫内２０Ａの側面および底面との隙間に塞ぐように固定して取り付けられ、第一防止柵３０は、バネ付きヒンジ３１により第二調湿庫２Ｂの上面と第一調湿庫２Ａの庫内２０Ａの天井との隙間を開閉可能に取り付けられる。ここで、バネ付きヒンジ３１は、第二調湿庫２Ｂの上面と第一調湿庫２Ａの庫内２０Ａの天井との隙間を閉じる方向に第一防止柵３０を付勢する。また、シャフト３２を軸方向に移動可能に保持するホルダ３３が、閉成状態（第二調湿庫２Ｂの上面と第一調湿庫２Ａの庫内２０Ａの天井との隙間を塞いだ状態）にある第一防止柵３０に対してシャフト３２が垂直となるように、第一調湿庫２Ａの筐体２１Ａの開口部上側に取り付けられる。
【００４７】
上記構成の変形例１Ａでは、図６（Ａ）に示すように、第一調湿庫２Ａの扉２２Ａが閉じた状態では、シャフト３２が扉２２Ａに当接して、第一調湿庫２Ａの庫内２０Ａに押し込まれる。これにより、シャフト３２が第一防止柵３０に当接して、第二調湿庫２Ｂの上面と第一調湿庫２Ａの庫内２０Ａの天井との隙間を開く方向に第一防止柵３０を押し上げる。その結果、第二調湿庫２Ｂの周囲の空気が循環し、第二調湿庫２Ｂの前方を含めて第一調湿庫Ａの庫内２０Ａを効率よく除湿することができる。
【００４８】
また、図６（Ｂ）に示すように、第一調湿庫２Ａの扉２２Ａが開いた状態では、バネ付きヒンジ３１の復元力により、第一防止柵３０がシャフト３２を押し戻して、第二調湿庫２Ｂの上面と第一調湿庫２Ａの庫内２０Ａの天井との隙間を塞ぐ。その結果、ユーザが誤って保管品を第二調湿庫２Ｂと第一調湿庫２Ａの庫内２０Ａの壁面との隙間に配置してしまうのを防止することができ、かつ、湿気を含んだ外気が庫内２０Ａの後方（第二調湿庫２Ｂの後方）に侵入するのを防止することができる。
【００４９】
また、上記の実施の形態では、第一調湿庫２Ａの庫内２０Ａに一台の第二調湿庫２Ｂを配置しているが、第一調湿庫２Ａの庫内２０Ａに二台以上の第二調湿庫２Ｂを配置してもよい。また、第二調湿庫２Ｂの庫内２０Ｂに、第一調湿庫２Ａおよび第二調湿庫２Ｂと同様の構成を備えた第三調湿庫を配置してもよい。この場合、制御盤２４は、これらの調湿庫の加熱再生処理が同時に実施されないように、加熱再生処理の実施タイミングを調整することが好ましい。
【００５０】
また、上記の実施の形態において、侵入防止柵３を省略してもよい。また、除湿ユニット２３のファン２３１を省略してもよい。さらに、操作パネル２５を省略してもよい。なお、操作パネル２５を省略する場合、加熱再生インターバルは予め除湿ユニット２３に設定されているものとする。
【００５１】
また、上記の実施の形態では、一台の制御盤２４で第一除湿ユニット２３Ａおよび第二除湿ユニット２３Ｂを制御しているが、第一除湿ユニット２３Ａおよび第二除湿ユニット２３Ｂのそれぞれに制御盤を設けて、第一除湿ユニット２３Ａおよび第二除湿ユニット２３Ｂをそれぞれ対応する制御盤で個別に制御するようにしてもよい。
【００５２】
また、上記の実施の形態において、制御盤２４の機能構成（図３参照）は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、およびＨＤＤ等の補助記憶装置を備えた汎用コンピュータにおいて、ＣＰＵが所定のプログラムを補助記憶装置からメモリ上にロードして実行することで実現されるものでもよい。
【符号の説明】
【００５３】
１、１Ａ：保管庫、  ２Ａ、２Ｂ：調湿庫、  ３：侵入防止柵、  ２０：庫内、２０Ａ：第一調湿庫２Ａの庫内、  ２０Ｂ：第二調湿庫２Ｂの庫内、  ２１Ａ：第一調温庫２Ａの筐体、  ２１Ｂ：第二調湿庫２Ｂの筐体、２３：除湿ユニット、  ２３Ａ：第一除湿ユニット、  ２３Ｂ：第二除湿ユニット、  ２４：制御盤、  ２５：操作パネル、  ２６：センサ、  ２７：庫外、  ３０：第一防止柵、  ３１：バネ付きヒンジ、  ３２：シャフト、  ３３：ホルダ、  ２１１Ａ：筐体２１Ａの前面、  ２１１Ｂ：筐体２１Ｂの前面、  ２１２Ａ：筺体２１Ａの背面板、  ２１２Ｂ：筺体２１Ｂの背面板、  ２１３Ａ：背面板２１２Ａの開口部２１３Ａ、  ２１３Ｂ：背面板２１２Ｂの開口部、  ２３０：乾燥装置、  ２３１：ファン、  ２３２：ハウジング、  ２３３ａ、２３３ｂ：庫内吸気口、  ２３４ａ、２３４ｂ：庫内排気口、  ２３５ａ、２３５ｂ：庫外吸気口、  ２３６ａ、２３６ｂ：庫外排気口、  ２３７：乾燥剤、  ２３８：乾燥剤用ヒータ、  ２３９ａ、２３９ｂ：シャッタ、  ２４０：センサＩＦ部、  ２４１：操作パネルＩＦ部、  ２４２：第一除湿ユニットＩＦ部、  ２４３：第二除湿ユニットＩＦ部、  ２４４：主制御部
【図１】
2018105609.tif 000003
【図２】
2018105609.tif 000004
【図３】
2018105609.tif 000005
【図４】
2018105609.tif 000006
【図５】
2018105609.tif 000007
【図６】
2018105609.tif 000008